(57)【要約】【課題】段板間からの幼児の落下を防止できるとともに、階段の昇降や掃除の際に邪魔にならない階段構造を提供する。【解決手段】上下に隣り合う段板４，４の間に、棒状部材６が段板４とほぼ平行に配置されており、この棒状部材６の一端部が手摺子５ｂに固定され、他端部が壁２に挿入されている。したがって、この棒状部材６によって幼児の段板４，４間からの落下を防止できる。  また、棒状部材６は段板４に取り付けていないので、階段の昇降や掃除の際に邪魔になることがない。【選択図】図１
2007321497.tif 000002
【特許請求の範囲】
【請求項１】
中桁に複数の段板が前記中桁の長手方向に一定間隔で固定され、一方の側部に手摺が設けられ、この手摺の手摺子が前記段板に固定され、他方の側部に壁が設けられた階段構造において、
上下に隣り合う段板の間に、棒状部材が前記段板とほぼ平行に配置されており、この棒状部材の一端部が前記手摺子に固定され、他端部が前記壁に挿入されていることを特徴とする階段構造。
【請求項２】
請求項１に記載の階段構造において、
前記手摺子にねじ孔が形成されており、このねじ孔に前記棒状部材の一端部に形成された雄ねじ部を螺合することによって、前記棒状部材の一端部が前記手摺子に固定されていることを特徴とする階段構造。
【請求項３】
請求項１または２に記載の階段構造において、
前記棒状部材の他端部が前記壁に挿入されたうえで固定されていることを特徴とする階段構造。
【請求項４】
請求項３に記載の階段構造において、
前記棒状部材の他端部が固定金具によって前記壁に固定されていること特徴とする階段構造。
【請求項５】
請求項３に記載の階段構造において、
前記壁にはねじ孔が設けられており、このねじ孔に前記棒状部材の他端部に形成された雄ねじ部を螺合することによって、前記棒状部材の他端部が前記壁に挿入されたうえで固定されていることを特徴とする階段構造。
【発明の詳細な説明】
【技術分野】
【０００１】
本発明は、中桁に複数の段板が前記中桁の長手方向に一定間隔で固定された階段構造に関する。
【背景技術】
【０００２】
近年、室内の見映えが良くなること、通気性や採光性に優れていることなどの理由から、建物の室内階段として、ストリップ階段の需要が高まっている。
このストリップ階段は、中桁（ささら桁）を略中央部に配置し、この中桁に複数の段板を該中桁の長手方向に一定間隔で固定してなるものである（例えば特許文献１参照）。
【特許文献１】特開２００５−１３９６９４号公報
【発明の開示】
【発明が解決しようとする課題】
【０００３】
ところで、上記のようなストリップ階段は、通気性や採光性を確保するために、上下に隣り合う段板間にある蹴込板を省略した構造となっているため、段板間から幼児等が落下するおそれがある。
そこで、略コ字状の棒状フレームを用意し、このフレームの両端部を下方に向けて段板の上面奥側に固定し、このフレームの水平部によって幼児の落下を防止することが考えられる。
しかし、段板の上面に略コ字状のフレームを固定する場合、このフレームの両端部が段板の上面から立ち上がっているので、この部分に階段を昇降する人の足の爪先等が当たって階段を昇降し難くなるという問題ある。
また、段板の上面を掃除する際も、フレームの段板から立ち上がる部分が邪魔になって、掃除がし難くなるという問題もある。
【０００４】
本発明は上記事情に鑑みてなされたもので、段板間からの幼児の落下を防止できるとともに、階段の昇降や掃除の際に邪魔にならない階段構造を提供することを課題としている。
【課題を解決するための手段】
【０００５】
上記課題を解決するために、請求項１に記載の発明は、例えば図１〜図５に示すように、中桁３に複数の段板４が前記中桁２の長手方向に一定間隔で固定され、一方の側部に手摺５が設けられ、この手摺５の手摺子５ｂが前記段板４に固定され、他方の側部に壁２が設けられた階段構造において、
上下に隣り合う段板４，４の間に、棒状部材６が前記段板４とほぼ平行に配置されており、この棒状部材６の一端部が前記手摺子５ｂに固定され、他端部が前記壁２に挿入されていることを特徴とする。
【０００６】
請求項１に記載の発明によれば、段板４，４間に配置された棒状部材６の一端部が手摺子５ｂに固定され、他端部が壁２に挿入されているので、棒状部材６は段板４，４間で保持された状態となる。したがって、この棒状部材６によって幼児の段板４，４間からの落下を防止できる。
また、棒状部材６は段板４に取り付けていないので、階段の昇降や掃除の際に邪魔になることがない。
【０００７】
請求項２に記載の発明は、例えば図４に示すように、請求項１に記載の階段構造において、
前記手摺子５ｂにねじ孔７が形成されており、このねじ孔７に前記棒状部材６の一端部に形成された雄ねじ部８を螺合することによって、前記棒状部材６の一端部が前記手摺子５ｂに固定されていることを特徴とする。
【０００８】
請求項２に記載の発明によれば、棒状部材６の一端部を容易かつ確実に手摺子５ｂに固定できる。また、この棒状部材６の雄ねじ部８をねじ孔７から取り外すことによって、棒状部材６を容易に手摺子５ｂから取り外すことができる。
【０００９】
請求項３に記載の発明は、例えば図６および図７に示すように、請求項１または２に記載の階段構造において、
前記棒状部材６の他端部が前記壁２に挿入されたうえで固定されていることを特徴とする。
【００１０】
請求項３に記載の発明によれば、棒状部材６の一端部が手摺子５ｂに固定され、他端部が壁２に固定されているので、つまり、階段１が棒状部材６を介して壁２に固定されているので、階段１の剛性が向上するとともに階段１の横揺れを防止できる。
【００１１】
請求項４に記載の発明は、例えば図６に示すように、請求項３に記載の階段構造において、
前記棒状部材６の他端部が固定金具１０によって前記壁２に固定されていること特徴とする。
【００１２】
請求項４に記載の発明によれば、棒状部材６の他端部を固定金具１０によって壁２に確実かつ強固に固定できる。
【００１３】
請求項５に記載の発明は、例えば図７に示すように、請求項３に記載の階段構造において、
前記壁２にはねじ孔１２ｃが設けられており、このねじ孔１２ｃに前記棒状部材６の他端部に形成された雄ねじ部１３を螺合することによって、前記棒状部材６の他端部が前記壁２に挿入されたうえで固定されていることを特徴とする。
【００１４】
請求項５に記載の発明によれば、棒状部材６の他端部を容易かつ確実に壁に固定できる。また、この棒状部材６の雄ねじ部１３をねじ孔１２ｃから取り外すことによって、棒状部材を容易に壁から取り外すことができる。
【発明の効果】
【００１５】
本発明によれば、上下に隣り合う段板の間に、棒状部材が段板とほぼ平行に配置されており、この棒状部材の一端部が手摺子に固定され、他端部が壁に挿入されているので、この棒状部材によって幼児の段板間からの落下を防止できる。
また、棒状部材は段板に取り付けていないので、階段の昇降や掃除の際に邪魔になることがない。
【発明を実施するための最良の形態】
【００１６】
以下図面を参照して本発明の実施の形態について説明する。
図１は本発明に係る階段構造を示す斜視図である。この図に示すストリップ階段１は、建物の室内の壁２に沿って設けられ、この室内の下の部屋と、例えば、中二階との間で行き来できるようになっている。
ストリップ階段１は、階段の幅方向中央部に、中桁（ささら桁）３を備えており、この中桁３に複数の段板４が該中桁３の長手方向に一定間隔で固定されている。中桁３は若干の隙間をあけて平行配置された２本の桁材３ａ，３ａによって構成されている。桁材３ａ，３ａの上面には、段板支持部３ｂ，３ｂが中桁３の長手方向に一定間隔で設けられており、この段板支持部３ｂ，３ｂによって段板４が水平に支持されている。
【００１７】
また壁２と反対側の側部（一方の側部）には手摺５が設けられている。この手摺５はストリップ階段１の傾斜方向とほぼ平行に配置された笠木５ａと、この笠木５ａを支持する複数の手摺子５ｂとから構成されており、これら手摺子５ｂの下端部が段板４の左端部に固定されている。具体的には、図２および図３（ａ）に示すように、上側の段板４の左端部の前端部には手摺子５ｂが段板４を上下に貫通するようにして固定されており、この手摺子５ｂの下端部は下側の段板４の左端部の後端部に固定されている。したがって、段板４の左端部は２本の手摺子５ｂ，５ｂによって支持されており、かつ、手摺子５ｂは上下２段の段板４，４をそれぞれ支持している。
【００１８】
また、上下に隣り合う段板４，４間には、棒状部材６が平行にかつ、下側の段板４の後端部上に配置されている。この棒状部材６の一端部は、段板４の後端部を支持している手摺子５ｂに固定され、他端部は壁２ｂに挿入されている。
棒状部材６の一端部は、以下のようにして手摺子５ｂに固定されている。
すなわちまず、図４に示すように、手摺子５ｂには、ねじ孔７が形成されている。一方棒状部材６の一端部（左端部）には雄ねじ部８が形成されている。そして、この雄ねじ部８をねじ孔７に螺合して締め付けることによって、棒状部材６の一端部が手摺子５に固定されている。
また、図５に示すように、壁２には前記ねじ孔７に対向して挿入孔９が形成されており、この挿入孔９に棒状部材６の他端部（右端部）が挿入されている。
なお、棒状部材６は上記のようにして、上下に隣り合う段板４，４間の全てに設けられている。
【００１９】
次に、棒状部材６の一端部をねじ孔７に螺合するとともに、他端部を挿入孔９に挿入する方法について説明する。
すなわち、図３（ｂ）に示すように、段板４，４間に棒状部材６を配置し、この棒状部材６の他端部（右端部）を壁２の挿入孔９に深く挿入する。この状態において棒状部材６の一端部（左端部）はねじ孔７から離れている。次に、棒状部材６を挿入孔９から引き出すようにして、該棒状部材６の一端部（左端部）をねじ孔７の入り口に挿入し、次に、棒状部材６を軸回りに回転させることによって、棒状部材６の一端部の雄ねじ部８をねじ孔７に螺合して締め付ける（図３（ａ）参照）。
【００２０】
本実施の形態によれば、段板４，４間に配置された棒状部材６の一端部が手摺子５ｂに固定され、他端部が壁２の挿入孔９に挿入されているので、段板４，４間で保持された状態となる。したがって、この棒状部材６によって幼児の段板間からの落下を防止できる。
また、棒状部材６は段板４に取り付けていないので、階段の昇降や掃除の際に邪魔になることがない。
さらに、手摺子５ｂに形成されたねじ孔７に棒状部材６の一端部に形成された雄ねじ部８を螺合しているので、棒状部材６の一端部を容易かつ確実に手摺子５ｂに固定できる。  また、この棒状部材６の雄ねじ部８をねじ孔７から取り外すことによって、棒状部材６を容易に手摺子５ｂから取り外すことができる。
【００２１】
図６は上記実施の形態の変形例を示すものである。この変形例では、棒状部材６の他端部（左端部）が壁２に形成された挿入孔９に固定金具１０とともに挿入されうえで該固定金具１０によって固定されている。
固定金具１０は、挿入孔９に挿入される挿入部１０ａと、この挿入部１０ａの基端部（左端部）に形成されたフランジ部１０ｂとを備えており、挿入部１０ａには嵌合孔１０ｃが形成されている。
棒状部材６の他端部は、固定金具１０の嵌合孔１０ｃに挿入されたうえで、カシメや接着等によって固定されている。また、固定金具１０は、その挿入部１０ａを壁２の挿入孔９に挿入し、フランジ部１０ｂを壁２の表面に当接したうえで、フランジ部１０ｂをビス１１によって壁２に固定することによって、該壁２に固定されている。
なお、固定金具１０の嵌合孔１０ｃに挿入された棒状部材６のカシメや接着は挿入部１０ａを壁２の挿入孔９に挿入する前に行う。
【００２２】
そして、棒状部材６の他端部に固定された固定金具１０の挿入部１０ａを壁２の挿入孔９に挿入するには、例えば、手摺子５ｂに形成されたねじ孔７を手摺子５ｂを貫通する貫通孔として形成しておき、この貫通したねじ孔７に棒状部材６の一端部（左端部）を挿通することによって、固定金具１０の挿入部１０ａを壁２の挿入孔９から離しておく。次に、棒状部材６をねじ孔７から軸回りに回しながら引き出すようにして、挿入部１０ａを壁２の挿入孔９にフランジ部１０ｂが壁２の表面に当接するまで挿入していく。その後、上述したように、フランジ部１０ｂをビス１１によって壁２に固定する。なお、棒状部材６の一端部の雄ねじ部８は手摺子５ｂのねじ孔７に螺合している。
このようにして、棒状部材６の他端部を固定金具１０によって壁２に確実かつ強固に固定できる。
また、棒状部材６の一端部が手摺子５ｂに固定され、他端部が壁２に固定されているので、つまり、階段１が棒状部材６を介して壁２に固定されているので、階段１の剛性が向上するとともに階段１の横揺れを防止できる。
【００２３】
図７は上記実施の形態の他の変形例を示すものである。この変形例では、まず、壁２の挿入孔９に固定金具１２を挿入している。
固定金具１２は挿入孔９に挿入される挿入部１２ａと、この挿入部１２ａの基端部（左端部）に形成されたフランジ部１２ｂとを備えており、挿入部１０ａにはねじ孔１２ｃが形成されている。このようにして、壁２にねじ孔１２ｃが設けられている。また、棒状部材の他端部（右端部）には雄ねじ部１３が形成されている。なお、壁２に設けるねじ孔１２ｃは、壁２に直接形成してもよい。
そして、壁２に設けられたねじ孔１２ｃに棒状部材６の他端部に形成された雄ねじ部１３を螺合することによって、棒状部材６の他端部が壁２に挿入されたうえで固定されている。また、棒状部材６の一端部はその雄ねじ部８を手摺子５ｂに形成されたねじ孔７に螺合することにより、手摺子５ｂに固定されている。
【００２４】
棒状部材６の他端部の雄ねじ部１３をねじ孔１２ｃに螺合するには、まず、固定金具１２の挿入部１２ａを壁２の挿入孔９に挿入し、フランジ部１２ｂを壁２の表面に当接したうえで、フランジ部１２ｂをビス１１によって壁２に固定する。
次に、手摺子５ｂに貫通するようにして形成されたねじ孔７に棒状部材６の他端部（左端部）を軸回りに回しながら（螺合させながら）挿通していくことで、該棒状部材６の他端部を壁２に設けられたねじ孔１２ｃに近付けていき、このねじ孔１２ｃにねじ込んで（螺合して）いく。これに伴って、棒状部材６の一端部の雄ねじ部８が手摺子５ｂのねじ孔７に螺合する。このようにして、棒状部材６は手摺子５ｂと壁２に固定されるので、棒状部材６の両端部を容易かつ確実に壁２および手摺子５ｂに固定できる。また、この棒状部材６の雄ねじ部８，１３をねじ孔７，１２ｃから取り外すことによって、棒状部材６を容易に壁２と手摺子５ｂから取り外すことができる。
【図面の簡単な説明】
【００２５】
【図１】本発明の階段構造の一例を示すもので、その斜視図である。
【図２】同、階段の要部を示す斜視図である。
【図３】同、階段の要部を示す正面断面図である。
【図４】同、手摺子のねじ孔に棒状部材の一端部を螺合した状態を示す断面図である。
【図５】同、壁の挿入孔に棒状部材の他端部を挿入した状態を示す断面図である。
【図６】本発明の階段構造の変形例を示すもので、壁の挿入孔に棒状部材の他端部を挿入固定した状態を示す断面図である。
【図７】本発明の階段構造の他の変形例を示すもので、壁の挿入孔に棒状部材の他端部を螺合した状態を示す断面図である。
【符号の説明】
【００２６】
１  ストリップ階段
２  壁
３  中桁
４  段板
５  手摺
５ｂ  手摺子
６  棒状部材
７  ねじ孔
８  雄ねじ部
９  挿入孔
１０  固定金具
１２ｃ  ねじ孔
【図１】
2007321497.tif 000003
【図２】
2007321497.tif 000004
【図３】
2007321497.tif 000005
【図４】
2007321497.tif 000006
【図５】
2007321497.tif 000007
【図６】
2007321497.tif 000008
【図７】
2007321497.tif 000009